(57)【要約】      （修正有）【課題】トランシーバ装置のマルチモーダルリストを遠隔端末へ提供する。【解決手段】位置決めユニットは、遠隔端末の位置を判定する６０８。プロセッサは、遠隔端末の位置に従って、少なくとも第１の通信モードと第２の通信モードで通信するためのトランシーバを識別する６１２。プロセッサは、識別されたトランシーバについての情報をデータベースから取り出し、マルチモーダルリストを生成する６１６。プロセッサは、トランシーバに、トランシーバ装置のマルチモーダルリストを遠隔端末へ遠隔端末の通信モードを使用して送信させる６２０。【選択図】図６Ａ
2014195292.tif 000002
【特許請求の範囲】
【請求項１】
トランシーバ装置のマルチモーダルリストを遠隔端末へ提供する方法であって、
遠隔端末の位置を取り出すことと、
なお、前記遠隔端末は、複数のトランシーバ装置と通信が可能であり、
前記遠隔端末は、少なくとも２つの通信モードで通信する；
第１の通信モードで通信するための第１のトランシーバ装置と、第２の通信モードで通信するための第２のトランシーバ装置と、を識別することと、
なお、前記第１および第２のトランシーバ装置は、前記遠隔端末の通信範囲内に位置し、
前記第１および第２の通信モードは異なっている；
前記第１および第２のトランシーバ装置を備える前記トランシーバ装置のマルチモーダルリストを生成することと、なお、前記トランシーバ装置のマルチモーダルリストは、前記第１および第２のトランシーバ装置の各々についてのトランシーバ識別子と通信モードとを含む；
前記トランシーバ装置のマルチモーダルリストを前記遠隔端末へ送信することと；
を備える方法。
【請求項２】
前記遠隔端末の通信モードについての情報を取り出すことと、前記遠隔端末の前記通信モードに従って前記トランシーバ装置のマルチモーダルリストを調整することと、をさらに備える、請求項１に記載のトランシーバ装置のマルチモーダルリストを遠隔端末へ提供する方法。
【請求項３】
前記の識別するステップは、
前記第１のトランシーバ装置が、前記第１の通信モードで動作する前記遠隔端末の通信範囲内にある可能性がある、と判定することと、
前記第２のトランシーバ装置が、前記第２の通信モードで動作する前記遠隔端末の通信範囲内にある可能性がある、と判定することと、
のサブステップを含む、
請求項１に記載のトランシーバ装置のマルチモーダルリストを遠隔端末へ提供する方法。
【請求項４】
前記第１および第２のトランシーバ装置は、セルラー基地局、無線アクセスネットワーク、ＷｉＦｉアクセスポイント、Ｂｌｕｅｔｏｏｔｈ装置、ルータ、広域通信網、域内通信網、および個人エリアネットワークのうちの少なくとも１つを含む、請求項１に記載のトランシーバ装置のマルチモーダルリストを遠隔端末へ提供する方法。
【請求項５】
遠隔端末と通信するためのトランシーバ装置を識別する方法であって、
前記遠隔端末から離れて情報を通信することと、なお、前記情報は、前記遠隔端末の複数の通信モードに対応する；
トランシーバ装置のマルチモーダルリストを受信することと、
なお、前記トランシーバ装置のマルチモーダルリストは、第１の通信モードで通信するための第１のトランシーバ装置についての情報と、第２の通信モードで通信するための第２のトランシーバ装置についての情報とを含み、
前記トランシーバ装置のマルチモーダルリストは、前記遠隔端末の位置用に調整されている；
前記トランシーバ装置のマルチモーダルリストを、前記遠隔端末に対してアクセス可能なメモリに記憶させることと；
を備える方法。
【請求項６】
前記遠隔端末から離れて前記遠隔端末の位置を通信すること、をさらに備える、請求項５に記載の遠隔端末と通信するためのトランシーバ装置を識別する方法。
【請求項７】
前記トランシーバ装置のマルチモーダルリストは、トランシーバ装置毎のトランシーバ識別子と通信モードとを含む、請求項５に記載の遠隔端末と通信するためのトランシーバ装置を識別する方法。
【請求項８】
前記トランシーバ装置のマルチモーダルリストは、前記遠隔端末の通信モードに従って調整される、請求項５に記載の遠隔端末と通信するためのトランシーバ装置を識別する方法。
【請求項９】
前記遠隔端末の通信モードは、ＣＤＭＡ（符号分割多元接続、ＷＣＤＭＡ（広帯域符号分割多元接続）、ＧＳＭ（汎欧州デジタル移動通信システム）、ＴＤＭＡ（時分割多元接続）、ＯＦＤＭ（直交周波数分割多重）、ＧＰＲＳ（汎用パケット無線システム）、ＥＶーＤＯ（エボリューションデータオプティマイズド）、ＷｉＦｉ（ＩＥＥＥ８０２．１１）、ＷｉＭＡＸ（ＩＥＥＥ８０２．１６）、ＷＵＳＢ（無線ユニバーサルシリアルバス）、Ｂｌｕｅｔｏｏｔｈ、ＺｉｇＢｅｅ、ＵＷＢ（ウルトラワイドバンド）、および衛星プロトコルのうちの少なくとも２つを含む、請求項５に記載の遠隔端末と通信するためのトランシーバ装置を識別する方法。
【請求項１０】
少なくとも一部は前記遠隔端末の通信モードに基づいて、前記トランシーバ装置のマルチモーダルリストをフィルタリングすること、をさらに備える、請求項５に記載の遠隔端末と通信するためのトランシーバ装置を識別する方法。
【請求項１１】
トランシーバ装置のマルチモーダルリストを遠隔端末へ提供するためのシステムであって、
前記遠隔端末の位置を判定するための位置決めユニットと；
トランシーバ装置情報のデータベースと、なお、前記トランシーバ装置情報は、少なくともトランシーバ識別子と、前記トランシーバ装置の位置と、前記トランシーバ装置の通信モードと、を含む；
前記データベースからトランシーバ装置情報を取り出すように、そして、トランシーバ装置のマルチモーダルリストを作成するように構成されたプロセッサと、
なお、前記トランシーバ装置のマルチモーダルリストは、第１の通信モードを有する第１のトランシーバ装置および第２の通信モードを有する第２のトランシーバ装置についての情報を含み、
前記トランシーバ装置のマルチモーダルリストは、前記遠隔端末の前記位置用に調整されている；
前記トランシーバ装置のマルチモーダルリストを、前記遠隔装置の通信モードを使用して前記遠隔装置へ送信するように構成されたトランシーバと；
を備えるシステム。
【請求項１２】
前記プロセッサは、前記遠隔端末の通信モードについての情報を取り出すように、そして、前記遠隔端末の前記通信モードに従って前記トランシーバ装置のマルチモーダルリストを調整するように、さらに構成されている、請求項１１に記載のトランシーバ装置のマルチモーダルリストを遠隔端末へ提供するためのシステム。
【請求項１３】
前記プロセッサは、前記第１のトランシーバ装置が前記第１の通信モードで動作する前記遠隔端末の通信範囲内にある可能性があると、そして、前記第２のトランシーバ装置が前記第２の通信モードで動作する前記遠隔端末の通信範囲内にある可能性があると、判定する、請求項１１に記載のトランシーバ装置のマルチモーダルリストを遠隔端末へ提供するためのシステム。
【請求項１４】
前記トランシーバ装置情報のデータベースは、複数の単一モーダルデータベースを備え、各単一モーダルデータベースは、同一の通信モードで通信するためのトランシーバ装置についての情報を含む、請求項１１に記載のトランシーバ装置のマルチモーダルリストを遠隔端末へ提供するためのシステム。
【請求項１５】
遠隔端末と通信するためのトランシーバ装置を識別するためのシステムであって、
第１の通信モードで通信するための第１のトランシーバと；
第２の通信モードで通信するための第２のトランシーバと；
前記第１および第２のトランシーバに結合され、前記第１および第２の通信モードでの通信を処理するように構成された、プロセッサと；
トランシーバ装置のマルチモーダルリストを記憶するために前記プロセッサに結合されたメモリと、
なお、前記トランシーバ装置のマルチモーダルリストは、第１の通信モードで通信するための第１のトランシーバ装置についての情報と、第２の通信モードで通信するための第２のトランシーバ装置についての情報と、を含み、
前記トランシーバ装置のマルチモーダルリストは、前記遠隔端末によって前記遠隔端末の通信モードで受信される；を備える、システム。
【請求項１６】
前記トランシーバ装置のマルチモーダルリストは、前記遠隔端末の通信範囲に従って調整される、請求項１５に記載の遠隔端末と通信するためのトランシーバ装置を識別するためのシステム。
【請求項１７】
前記トランシーバ装置のマルチモーダルリストは、前記遠隔端末の通信モードに従って調整される、請求項１５に記載の遠隔端末と通信するためのトランシーバ装置を識別するためのシステム。
【請求項１８】
前記遠隔端末の前記通信モードは、ＣＤＭＡ、ＷＣＤＭＡ、ＧＳＭ、ＴＤＭＡ、ＯＦＤＭ、ＧＰＲＳ、ＥＶーＤＯ、ＷｉＦｉ、ＷｉＭＡＸ、ＷＵＳＢ、Ｂｌｕｅｔｏｏｔｈ、ＺｉｇＢｅｅ、ＵＷＢ、および衛星通信プロトコルの少なくとも２つを含む、請求項１７に記載の遠隔端末と通信するためのトランシーバ装置を識別するためのシステム。
【請求項１９】
前記トランシーバ装置のマルチモーダルリストは、前記遠隔端末に対してアドレス指定されたメッセージで受信される、請求項１５に記載の遠隔端末と通信するためのトランシーバ装置を識別するためのシステム。
【請求項２０】
搬送波において具現化されたデータ信号であって、前記データ信号は、トランシーバ装置のマルチモーダルリストを表し、前記トランシーバ装置のマルチモーダルリストは、
第１のトランシーバ識別子と、第１の通信モード識別子と、を含む第１のトランシーバデータと；
第２のトランシーバ識別子と、第２の通信モード識別子と、を含む第２のトランシーバデータと、
を備え、
前記第１のトランシーバデータおよび前記第２のトランシーバデータは、同一のメッセージの一部を形成し、
前記第１の通信モード識別子および前記第２の通信モード識別子は、異なる通信モードに対応し、
前記トランシーバ装置のマルチモーダルリストは、遠隔端末の位置用に調整される、
データ信号。
【請求項２１】
前記第１のトランシーバデータは、第１のトランシーバ装置に対応し、前記第２のトランシーバデータは、第２のトランシーバ装置に対応し、
前記第１および第２のトランシーバ装置は、前記遠隔端末の通信範囲内に位置する、
請求項２０に記載の搬送波に包含されたデータ信号。
【請求項２２】
前記第１および第２のトランシーバ装置は、通常動作中は静止している、請求項２１に記載の搬送波に包含されたデータ信号。
【請求項２３】
トランシーバ装置のマルチモーダルリストを遠隔端末へ提供するためのシステムであって、
遠隔端末の位置を取り出すための手段と；
第１の通信モードで動作するための第１のトランシーバ装置および第２の通信モードで動作するための第２のトランシーバ装置を識別するための手段と、なお、前記第１および第２のトランシーバ装置は、前記遠隔端末の通信範囲内に位置している；
前記第１および第２のトランシーバ装置を備える前記トランシーバ装置のマルチモーダルリストを生成するための手段と、なお、前記トランシーバ装置のマルチモーダルリストは、前記第１および第２のトランシーバ装置の各々についてのトランシーバ装置識別子と通信モードとを含む；
前記トランシーバ装置のマルチモーダルリストを前記遠隔端末へ送信するための手段と；
を備えるシステム。
【請求項２４】
前記遠隔端末の通信モードについての情報を取り出す手段と、
前記遠隔端末の通信モードに従って、前記トランシーバ装置のマルチモーダルリストを調整するための手段と  をさらに備える、請求項２３に記載のトランシーバ装置のマルチモーダルリストを遠隔端末へ提供するためのシステム。
【請求項２５】
前記第１のトランシーバ装置が前記第１の通信モードで動作する前記遠隔端末の通信範囲内にある可能性があると判定するための手段と、
前記第２のトランシーバ装置が前記第２の通信モードで動作する前記遠隔端末の通信範囲内にある可能性があると判定するための手段と  をさらに備える、請求項２３に記載のトランシーバ装置のマルチモーダルリストを遠隔端末へ提供するためのシステム。
【請求項２６】
前記トランシーバ装置のマルチモーダルリストを前記遠隔端末に対してアドレス指定されたメッセージで前記遠隔端末へ送信するための手段、をさらに備える、請求項２３に記載のトランシーバ装置のマルチモーダルリストを遠隔端末へ提供するためのシステム。
【請求項２７】
前記第１および第２のトランシーバ装置は、セルラー基地局、無線アクセスネットワーク、ＷｉＦｉアクセスポイント、Ｂｌｕｅｔｏｏｔｈ装置、ルータ、広域通信網、域内通信網、および個人エリアネットワークのうちの少なくとも１つを含む、請求項２３に記載のトランシーバ装置のマルチモーダルリストを遠隔端末へ提供するためのシステム。
【請求項２８】
遠隔端末と通信するためのトランシーバ装置を識別するためのシステムであって、
前記遠隔端末から離れて情報を通信するための手段と、なお、前記情報は前記遠隔端末の複数の通信モードを表す；
トランシーバ装置のマルチモーダルリストを受信する手段と、
なお、前記トランシーバ装置のマルチモーダルリストは、第１の通信モードで通信するための第１のトランシーバ装置についての情報と、第２の通信モードで通信するための第２のトランシーバ装置についての情報と、を含み、
前記トランシーバ装置のマルチモーダルリストは、前記遠隔端末の位置用に調整されている；
前記トランシーバ装置のマルチモーダルリストを、前記遠隔端末に対してアクセス可能なメモリに記憶させるための手段と；
を備えるシステム。
【請求項２９】
前記遠隔端末の位置を前記遠隔端末から離れて通信するための手段、をさらに備える、請求項２８に記載の遠隔端末と通信するためのトランシーバ装置を識別するためのシステム。
【請求項３０】
前記トランシーバ装置のマルチモーダルリストは、トランシーバ装置毎のトランシーバ識別子と通信モードと、を含む、請求項２８に記載の遠隔端末と通信するためのトランシーバ装置を識別するためのシステム。
【請求項３１】
前記トランシーバ装置のマルチモーダルリストを前記遠隔端末の通信モードに従って調整するための手段、をさらに備える、請求項２８に記載の遠隔端末と通信するためのトランシーバ装置を識別するためのシステム。
【請求項３２】
前記トランシーバ装置のマルチモーダルリストを前記遠隔端末の通信範囲に従って調整するための手段、をさらに備える、請求項２８に記載の遠隔端末と通信するためのトランシーバ装置を識別するためのシステム。
【請求項３３】
トランシーバ装置のマルチモーダルリストを遠隔端末へ提供するための通信装置であって、
前記遠隔端末の位置を取り出し；
第１の通信モードで通信するための第１のトランシーバ装置および第２の通信モードで通信するための第２のトランシーバ装置を識別し、なお、前記第１および第２のトランシーバ装置は、前記遠隔端末の通信範囲内に位置している；
前記第１および第２のトランシーバ装置を備える前記トランシーバ装置のマルチモーダルリストを生成し、なお、前記マルチモーダルリストは、前記トランシーバ装置のトランシーバ装置識別子と通信モードとを含む各トランシーバ装置についての情報を含む；そして、
前記トランシーバ装置のマルチモーダルリストを、前記遠隔端末に送信されるようにする；
ように構成されたプロセッサと、
前記プロセッサに結合された、そして、前記第１および第２のトランシーバ装置についての情報を記憶するように構成された、メモリと、
を備える通信装置。
【請求項３４】
前記プロセッサは、
前記遠隔端末の通信モードについての情報を取り出し、そして、
前記遠隔端末の前記通信モードに従って前記トランシーバ装置のマルチモーダルリストを調整する、
ようにさらに構成されている、請求項３３に記載のトランシーバ装置のマルチモーダルリストを遠隔端末へ提供するための通信装置。
【請求項３５】
前記プロセッサは、
前記第１のトランシーバ装置が前記第１の通信モードで動作する前記遠隔端末の通信範囲内にある可能性があると判定し、そして、
前記第２のトランシーバ装置が前記第２の通信モードで動作する前記遠隔端末の通信範囲内にある可能性があると判定する、
ようにさらに構成されている、請求項３３に記載のトランシーバ装置のマルチモーダルリストを遠隔端末へ提供するための通信装置。
【請求項３６】
トランシーバ装置情報のデータベースをさらに備え、前記プロセッサは、前記第１および第２のトランシーバ装置についての情報を、複数のトランシーバ装置のマルチモーダルリスト中に包含するために、前記データベースから取り出して、請求項３３に記載のトランシーバ装置のマルチモーダルリストを遠隔端末へ提供するための通信装置。
【請求項３７】
トランシーバ装置のマルチモーダルリストを受信するための通信装置であって、
プロセッサであって、
情報を前記通信装置から離れて送信されるようにし、なお、前記情報は、前記通信装置の複数の通信モードに対応している；そして、
前記通信装置によって受信されたトランシーバ装置のマルチモーダルリストを処理し、なお、
前記トランシーバ装置のマルチモーダルリストは、第１の通信モードで通信するための第１のトランシーバ装置についての情報と第２の通信モードで通信するための第２のトランシーバ装置についての情報とを含み、
前記トランシーバ装置のマルチモーダルリストは、前記通信装置の位置に合わせて調整されている；そして、
前記トランシーバ装置のマルチモーダルリストを、前記通信装置に対してアクセス可能なメモリに記憶させる；
ように構成されたプロセッサと、
前記プロセッサに結合された、そして、前記トランシーバ装置のマルチモーダルリストを記憶するように構成されたメモリと、
を備える通信装置。
【請求項３８】
前記プロセッサは、前記通信装置の前記位置についての情報を前記通信装置から離れて送信されるようにするように、さらに構成されている、請求項３７に記載のトランシーバ装置のマルチモーダルリストを受信するための通信装置。
【請求項３９】
前記トランシーバ装置のマルチモーダルリストは、トランシーバ装置毎のトランシーバ識別子と通信モードとを含む、請求項３７に記載のトランシーバ装置のマルチモーダルリストを受信するための通信装置。
【請求項４０】
前記トランシーバ装置のマルチモーダルリストは、前記通信装置の通信モードに従って調整される、請求項３７に記載のトランシーバ装置のマルチモーダルリストを受信するための通信装置。
【請求項４１】
前記通信装置の通信モードは、ＣＤＭＡ，ＷＣＤＭＡ，ＧＳＭ，ＴＤＭＡ，ＯＦＤＭ，ＧＰＲＳ，ＥＶ−ＤＯ，ＷｉＦｉ，ＷｉＭＡＸ，ＷＵＳＢ，Ｂｌｕｅｔｏｏｔｈ，ＺｉｇＢｅｅ，ＵＷＢ、および衛星プロトコルのうちの少なくとも２つを含む、請求項３７に記載のトランシーバ装置のマルチモーダルリストを受信するための通信装置。
【発明の詳細な説明】
【技術分野】
【０００１】
本開示は、一般的には通信システムに関し、より具体的には、限定の目的ではないが、通信装置の位置に基づいて通信リソースを識別することに関する。
【背景技術】
【０００２】
１つより多い通信モードを有する移動体装置が市場において急増してきている。例えば、セルラー電話(cellular phones)は、セルら基地局と音声およびデータ通信をやり取りするための１つのトランシーバとＷｉＦｉＴＭアクセスポイントと通信するための他のトランシーバとを含むことがある。より多くの通信モードを提供する電話もある。電話の通信範囲内のアクセスポイントを決定するには時間がかかり、アクセスポイント間を移動する能力を阻害し得る。
【０００３】
従来の移動体装置は、周囲の基地局のリストをサービング基地局(serving base station)から受信するかもしれない。このリストにより、移動体装置はサービスを中断することなく位置を変えることができる。しかしながら、特定のサービスプロバイダによって所有された基地局またはサービスプロバイダのローミング提携先によって所有された基地局についての情報に限定される。さらに、リストに含まれる情報は、移動体装置の特定の通信モードに限定され得る。
【発明の概要】
【０００４】
本開示は、本譲渡人に譲渡され、参照によりすべての目的のために全体がここに明示的に組み込まれる、２００６年１月１２日に出願された米国出願第１１／３３２１１６号、の一部継続出願である。
【０００５】
一つの実施形態においては、トランシーバ装置のマルチモーダルリスト(multimodal list)を遠隔端末へ提供する方法が、開示される。複数のトランシーバ装置と通信することが可能であり、少なくとも２つの通信モードで通信する遠隔端末の、位置を取り出すことを、本方法は含む。本方法は、第１の通信モードで通信するための第１のトランシーバ装置と、第２の通信モードで通信するための第２のトランシーバ装置と、を識別することをさらに含む。第１および第２のトランシーバ装置は、遠隔端末の通信範囲内に位置し、異なる通信モードで通信する。本方法はまた、第１および第２のトランシーバ装置を備える複数のトランシーバ装置のマルチモーダルリストを生成すること、を含み、マルチモーダルリストは、第１および第２のトランシーバ装置の各々についてのトランシーバ識別子と通信モードとを含む。複数のトランシーバ装置のマルチモーダルリストは、遠隔端末の通信モードで、遠隔端末へ送信される。
【０００６】
別の実施形態においては、遠隔端末と通信するためのトランシーバ装置を識別する方法が、開示される。本方法は、遠隔端末の複数の通信モードに対応する情報を遠隔端末から離れて通信すること、を含む。また、本方法は、トランシーバ装置のマルチモーダルリストを受信すること、を含む。トランシーバ装置のマルチモーダルリストは、第１の通信モードで通信するための第１のトランシーバ装置についての情報と、第２の通信モードで通信するための第２のトランシーバ装置についての情報と、を含む。さらに、トランシーバ装置のマルチモーダルリストは、遠隔端末の位置用に調整される(tailored)。本方法は、トランシーバ装置のマルチモーダルリストを遠隔端末に対してアクセス可能なメモリに記憶させること、をさらに含む。
【０００７】
さらに他の実施形態において、トランシーバ装置のマルチモーダルリストを遠隔端末へ提供するためのシステムが、開示される。本システムは、遠隔端末の位置を判定する(determining)ための位置決めユニット(positioning unit)と、トランシーバ装置情報のデータベース(database)と、を含む。トランシーバ装置情報は、少なくともトランシーバ識別子と、トランシーバ装置の位置と、トランシーバ装置の通信モードと、によって特徴付けられる。データベースからトランシーバ装置情報を取り出すように、そして、トランシーバ装置のマルチモーダルリストを作成するように、構成されたプロセッサも、本システムは含む。トランシーバ装置のマルチモーダルリストは、第１の通信モードを有する第１のトランシーバ装置および第２の通信モードを有する第２のトランシーバ装置についての情報、を含む。さらに、トランシーバ装置のマルチモーダルリストは、遠隔端末の位置用に調整される。また、本システムは、トランシーバ装置のマルチモーダルリストを遠隔装置の通信モードを使用して遠隔装置へ送信するように構成されたトランシーバ、を含む。
【０００８】
別の実施形態において、遠隔端末と通信するためのトランシーバ装置を識別するためのシステムが、開示される。本システムは、第１の通信モードで通信するための第１のトランシーバと、第２の通信モードで通信するための第２のトランシーバと、を含む。第１および第２のトランシーバに結合された、そして、第１および第２の通信モードでの通信を処理するように構成された、プロセッサも、本システムは含む。プロセッサに結合されたメモリが、トランシーバ装置のマルチモーダルリストを記憶するために提供される。トランシーバ装置のマルチモーダルリストは、第１の通信モードで通信するための第１のトランシーバ装置についての情報と、第２の通信モードで通信するための第２のトランシーバ装置についての情報と、を含む。トランシーバ装置のマルチモーダルリストは、遠隔端末によって遠隔端末の通信モードで受信される。
【０００９】
さらなる実施形態において、トランシーバ装置のマルチモーダルリストを遠隔端末へ提供するためのシステムが、開示される。本システムは、遠隔端末の位置を取り出すための手段と、第１の通信モードで動作するための第１のトランシーバ装置および第２の通信モードで動作するための第２のトランシーバ装置を識別するための手段と、を含む。第１および第２のトランシーバ装置は、遠隔端末の通信範囲内に位置する。本システムはまた、第１および第２のトランシーバ装置を備えるトランシーバ装置のマルチモーダルリストを生成するための手段、を含む。トランシーバ装置のマルチモーダルリストは、少なくとも、第１および第２のトランシーバ装置の各々についてのトランシーバ装置識別子と通信モードとを含む。トランシーバ装置のマルチモーダルリストを遠隔端末へ送信するための手段が、提供される。
【００１０】
別の実施形態において、遠隔端末と通信するためのトランシーバ装置を識別するためのシステムが、開示される。本システムは、遠隔端末から離れて情報を通信するための手段、を含む。端末から離れて通信される情報は、遠隔端末の複数の通信モードを表す。トランシーバ装置のマルチモーダルリストを受信する手段、が含まれる。トランシーバ装置のマルチモーダルリストは、第１の通信モードで通信するための第１のトランシーバ装置についての情報と、第２の通信モードで通信するための第２のトランシーバ装置についての情報と、を含む。さらに、トランシーバ装置のマルチモーダルリストは、遠隔端末の位置用に調整される。トランシーバ装置のマルチモーダルリストを遠隔端末に対してアクセス可能なメモリに記憶させるための手段、が含まれる。
【００１１】
本発明の適用可能性のさらなる分野は、以下に提供される詳細な説明から明らかになるだろう。詳細な説明および特定の例は、本発明の様々な実施形態を示すものではあるものの、説明のみの目的のために意図されており、本発明の範囲を必ずしも限定するように意図されてはいない、ということが理解されるべきである。
【図面の簡単な説明】
【００１２】
【図１】移動体装置と基地局との間のインタラクションを示すマルチモーダル通信システムの図。
【図２】移動体装置の通信範囲内の様々なトランシーバ装置を示すマルチモーダル通信システムの図。
【図３Ａ】マルチモーダル通信システムの一部として基地局コントローラと通信する基地局を示す。
【図３Ｂ】マルチモーダル通信システムの一部として基地局コントローラと通信する基地局を示す。
【図４Ａ】マルチモーダル通信システムで動作するように構成された基地局を示すブロック図。
【図４Ｂ】マルチモーダル通信システムで動作するように構成された基地局を示すブロック図。
【図５Ａ】マルチモーダル通信システムで動作するように構成された移動体装置を示すブロック図。
【図５Ｂ】マルチモーダル通信システムで動作するように構成された移動体装置を示すブロック図。
【図６Ａ】トランシーバのマルチモーダルリストを遠隔端末へ提供する処理を示すフロー図。
【図６Ｂ】トランシーバのマルチモーダルリストを遠隔端末へ提供する処理を示すフロー図。
【図７】遠隔端末と通信するためのトランシーバ装置が識別される処理のフロー図。
【図８】トランシーバのマルチモーダルリストを遠隔端末へ提供するためのシステムのブロック図。
【図９】遠隔端末と通信するためのトランシーバ装置を識別するためのシステムのブロック図。
【発明を実施するための形態】
【００１３】
本発明の開示は、添付された図面と共に説明される。
【００１４】
添付の図面において、同様の構成要素および／または特徴は、同一の参照ラベルを有することがある。さらに、同一の種類の構成要素は、参照ラベルの後にダッシュおよび同様の構成要素間を区別する第２のラベルを付すことによって区別されることがある。もし第１の参照ラベルのみが明細書において使用されている場合には、第２の参照ラベルに関わらず、本説明は、同一の第１の参照ラベルを有する同様の構成要素のうちの任意のものに適用可能である。
【００１５】
以下の説明は、好ましい例示の実施形態（単数または複数）のみを提供するが、本発明の範囲、適用可能性、または構成を限定するようには意図されていない。むしろ、好ましい例示の実施形態（単数または複数）に関する以下の説明は、当業者に対して、本発明の好ましい例示の実施形態を実施する(implementing)ための実施可能な説明を提供するだろう。添付の請求項に記載されたような本発明の精神および範囲から逸脱することなく、要素の機能および配置に対して様々な変更が行われてもよいことが理解されるべきである。
【００１６】
実施形態の完全な理解を提供するために、以下の説明において具体的な詳細が与えられている。しかしながら、実施形態は、これらの具体的な詳細なしで実施されてもよいことは、当業者によって理解されるだろう。例えば、不必要な詳細で実施形態を不明瞭にしないために、ブロック図で回路が示される場合がある。他の場合には、周知の回路、処理、アルゴリズム、構造、および手法が、実施形態を不明瞭にするのを避けるために、不必要な詳細なしに示される場合がある。
【００１７】
また、実施形態は、フローチャート、フロー図、データフロー図、構造図、またはブロック図として示される処理として説明されることができることに注意されたい。フローチャートは順次処理として動作を説明することがあるが、動作の多くは並列に、あるいは同時に行われ得る。さらに、動作の順序は再配列されてもよい。処理は、その動作が完了されると終了されるが、図に含まれていない追加のステップを有することもあろう。処理は、方法、機能、手順、サブルーチン、サブプログラムなどに対応してもよい。処理が機能に対応する場合には、その終了は、当該機能の、呼び出し機能またはメイン機能へのリターン(return)に対応する。
【００１８】
ここに開示されるように、「記憶媒体（storage medium）」という用語は、データを記憶するための１つ以上の装置を表すことがあり、読み出し専用メモリ（ＲＯＭ）、ランダムアクセスメモリ（ＲＡＭ）、磁気ＲＡＭ、コアメモリ、磁気ディスク記憶媒体、光学記憶媒体、フラッシュメモリ装置および／または情報を記憶するための他の機械読み出し可能な媒体（machine-readable medium）を含む。「機械読み出し可能な媒体」という用語は、可搬または固定記憶装置、光学記憶装置、無線チャンネル、および、命令（単数または複数）および／またはデータを記憶する、含む、または搬送することが可能な様々な他の媒体を含むが、これらに限定されない。
【００１９】
さらに、実施形態は、ハードウェア、ソフトウェア、ファームウェア、ミドルウェア、マイクロコード、ハードウェア記述言語、またはこれらの任意の組み合わせによって実施されてもよい。ソフトウェア、ファームウェア、ミドルウェア、またはマイクロコードによって実施される場合には、必要なタスクを実行するプログラムコードまたはコードセグメントは、記憶媒体などの機械読み出し可能な媒体に記憶されてもよい。プロセッサ（単数または複数）が必要なタスクを実行してもよい。コードセグメントまたは機械実行可能な命令は、機能、サブプログラム、プログラム、ルーチン、サブルーチン、モジュール、ソフトウェアパッケージ、クラス、あるいは、命令、データ構造、またはプログラム文の任意の組み合わせを表してもよい。情報、データ、引数、パラメータ、またはメモリ内容を渡すおよび／または受信することによって、あるコードセグメントが他のコードセグメントまたはハードウェア回路に結合されてもよい。情報、引数、パラメータ、データなどは、メモリの共有、メッセージ渡し、トークン渡し、ネットワーク送信を含む任意の適切な手段を介して、渡されるか、転送されるか、または送信されてもよい。
【００２０】
図１は、マルチモーダル通信システム(multimodal communication system)の図である。このシステムにおいて、移動体装置１１２−１，１１２−２，１１２−３，１１２−４は、移動体装置１１２の通信モード及ぶ通信範囲に従って、音声および／またはデータ通信を周囲のトランシーバ装置１０８，１１０，１１２，１１６，１２０と交換する。トランシーバ装置１０８，１１０，１１２，１１６，１２０は、互いに異なる通信モードまたは通信モードの組み合わせをサポートする。本明細書で使用されているように、トランシーバ装置は、セルラー基地局(cellular base stations)、様々な無線ネットワーク、無線広域通信網(wireless wide area networks)、無線域内通信網(wireless local area networks)、無線個人エリアネットワーク（wireless personal area networks）、メッシュネットワーク（mesh networks）、Ｂｌｕｅｔｏｏｔｈ（登録商標）装置（Bluetooth（登録商標）devices）、および音声および／またはデータ通信を移動体装置または固定位置装置と交換できる他の通信装置などを含む。
【００２１】
トランシーバ１０８，１１０，１１２，１１６，１２０の中には、２地点間（point-to-point）および星形ネットワークモードで動作できるものもある。例えば、第４の移動体装置１１２−４は、メッシュまたはピアツーピア（peer-to-peer）で第２および第３の移動体装置１１２−４，１１２−３と通信できる。このように、第４の移動体装置１１２−４は、第２および第３の基地局１０８−２，１０８−３と通信できる。加えて、第４の移動体装置１１２−４は、セルラー領域１０２，１０４，１０６内にあって星形モードの場合には、基地局１０８と直接通信可能であろう。トランシーバ１０８，１１０，１１２，１１６，１２０が複数の通信モードで動作するので、星形のモードもあれば、メッシュのモードもある。移動体装置１１２についてのマルチモーダルリストは、メッシュ、２地点間、および星形ネットワークモード動作するトランシーバ１０８，１１０，１１２，１１６，１２０を含むことができよう。
【００２２】
本実施形態において、移動体装置１１２はセルラー電話であり、各移動体装置１１２−１，１１２−２，１１２−３は、少なくとも２つの異なる通信モードで通信することが可能である。通信モードは、例えば、ＣＤＭＡ（符号分割多元接続(Code Division Multiple Access)）、ＷＣＤＭＡ（広帯域符号分割多元接続(Wideband Code Division Multiple Access)）、ＧＳＭ（登録商標）（汎欧州デジタル移動通信システム(Global System for Mobile communication)）、ＴＤＭＡ（時分割多元接続(Time Division Multiple Access)）、ＯＦＤＭ（直交周波数分割多重(Orthogonal Frequency Division Multiplexing)）、ＧＰＲＳ（汎用パケット無線システム(General Packet Radio Service)）、ＥＶ−ＤＯ（エボリューションデータオプティマイズド(Evolution Data Optimized)）、ＷＵＳＢ（無線ユニバーサルシリアルバス(Wireless Universal Serial Bus)）、ＵＷＢ（ウルトラワイドバンド(Ultra-Wideband)）、ＷｉＦｉＴＭ（ＩＥＥＥ８０２．１１）、ＷｉＭＡＸ（ＩＥＥＥ８０２．１６）、ＺｉｇＢｅｅＴＭ、および／または衛星プロトコル(satellite protocols)の様々な組み合わせを含む。他の実施形態において、移動体装置は異なっていてもよく、子供または仮出所者モニタ、ナビゲーション機器、個人ナビゲーション装置（ＰＮＤ）、追跡装置、無線呼出し器（wireless pager）、無線コンピュータ、スマートフォン（smartphones）、インターネットプロトコル上の音声通信（ｖｏｉｃｅ  ｏｖｅｒ  ＩＰ：ＶＯＩＰ）端末および端末アダプタ、パーソナルコンピュータ、ラップトップ、および携帯情報端末（personal data assistants）などを含んでもよい。
【００２３】
図示のように、各移動体端末装置１１２−１，１１２−２，１１２−３は、移動体装置１１２の位置に従って、基地局１０８−１，１０８−２，１０８−３と通信する。加えて、各基地局１０８は、基地局の通信範囲を規定するフットプリント（footprint）を有する。例えば、基地局１０８−１はセルラー領域１０２内の装置と通信し、基地局１０８−２はセルラー領域１０４内の装置と通信する。いくつかの実施形態においては、セルラー領域１０２，１０４，１０６は、さらにセクタに分割され、基地局１０８は、セルラー領域１０２，１０４，１０６の特定のセクタに位置する移動体装置１１２と通信するように構成される。
【００２４】
起動すると、移動体装置１１２は、その周囲環境内にある基地局１０８または他のトランシーバ装置１１０，１１２，１１６，１２０を受信してもよい。例えば、移動体装置１１２−１がまず起動されると、移動体装置１１２−１は、基地局１０８−１からの信号を受信してもよい。信号が検出されると、移動体装置１１２−１は、識別情報を基地局１０８−１へ送信してもよい。識別情報は、例えば、移動体装置１１２によってサポートされている通信モードを含む移動体装置１１２の機能を特定してもよい。代わりに、識別情報は、例えばシリアル番号またはモデル番号など、移動体装置１１２の型の簡略的記述（shorthand description）したものであってもよい。この場合、基地局１０８−１（または基地局１０８−１に接続された他の遠隔エンティティ）は、当該簡略的記述を使用して移動体装置１１２−１についての追加情報を装置機能データベースからアクセスしてもよい。
【００２５】
また、基地局１０８−１は、移動体装置１１２−１の地理的位置を取り出す。いくつかの実施形態において、移動体装置１１２−１の地理的位置は、全地球衛星航法システム（Global positioning satellite system）の使用によって、基地局１０８−１へ提供される。他の実施形態において、地理的位置は、測距信号（ranging signal）を使用して判定されてもよく、移動体装置１１２−１の通信範囲内の１つ以上のトランシーバ装置１０８，１１０，１１２，１１６，１２０とのインタラクションを伴ってもよい。さらなる実施形態において、移動体装置１１２−１は、位置決めデータをトランシーバ装置１０８，１１０，１１２，１１６，１２０へ送信することによって、その位置を判定する処理を支援してもよい。さらに他の実施形態において、移動体装置１１２−１の位置は、移動体装置１１２−１と通信するトランシーバ装置１０８，１１０，１１２，１１６，１２０の正体（identity）（または知識（knowledge））から導き出されてもよい。トランシーバ装置１０８，１１０，１１２，１１６，１２０の位置および通信範囲を知ることによって、移動体装置１１２−１の位置を推定することができる。なぜならば、移動体装置１１２−１は、トランシーバ装置１０８，１１０，１１２，１１６，１２０の通信範囲内にあるからである。
【００２６】
移動体装置１１２−１が識別され、その地理的位置が判定されると、基地局１０８−１または何らかの他のトランシーバ装置１０８，１１０，１１２，１１６，１２０は、移動体装置１１２−１の予想通信範囲(likely communication range)内のトランシーバ装置のマルチモーダルリストを生成する。マルチモーダルリストは、移動体装置１１２−１によってサポートされる互いに異なる通信モードのいずれかで通信する１つ以上のトランシーバ装置１０８，１１０，１１２，１１６，１２０についての情報を含む。いくつかの実施形態において、マルチモーダルリストに含まれる情報は、トランシーバ装置の識別子と、トランシーバ装置の通信モードとを含む。他の実施形態において、マルチモーダルリストは、追加の接続指向情報を含んでもよい。例えば、ＷｉＦｉアクセスポイントについての情報は、ＳＳＩＤ、ＩＰアドレス、および動作周波数を含んでもよい。いくつかの実施形態は、マルチモーダルリスト内の他のトランシーバ装置１０８，１１０，１１２，１１６，１２０の位置を含む。他の例において、地理的位置の判定は、移動体装置１１２−１と通信するトランシーバ装置１０８または１１０，１１２，１１６，１２０の識別を伴ってもよい。
【００２７】
基地局１０８−１は、トランシーバ装置のマルチモーダルリストを移動体装置１１２−１へ送信する。他の実施形態において、移動体装置１１２−１の通信範囲内の任意のトランシーバ装置１０８，１１０，１１２，１１６，１２０がマルチモーダルリストを送信することができてもよいだろう。トランシーバ装置のマルチモーダルリストは、移動体装置１１２−１の予想通信範囲内にある、基地局１０８−１に周知のすべてのトランシーバ装置１０８，１１０，１１２，１１６，１２０か、またはこれらのトランシーバ装置のサブセットを含んでもよい。例えば、基地局１０８−１は、セルラー領域１０２または隣接セルラー領域１０４，１０６内のトランシーバ装置についての情報にアクセスできてもよい。移動体装置１１２−１の位置とトランシーバ装置１０８，１１０，１１２，１１６，１２０の各通信モードの範囲とに基づいて、基地局１０８−１は、トランシーバ装置トランシーバ装置１１６−１，１２０−１，および１１０−１が移動体装置１１２−１の予想通信範囲内にあると判定してもよい。代わりに、任意のトランシーバ装置１０８，１１０，１１２，１１６，１２０が他のトランシーバ装置についての情報にアクセスできてもよく、移動体装置が当該トランシーバ装置の通信範囲内にある場合に、当該情報を移動体装置１１２−１へ提供してもよい。
【００２８】
他の実施形態において、基地局１０８−１は、移動体装置１１２−１の通信モードに関係なくマルチモーダルリスト内のすべてのトランシーバを含む。よって、例えば、移動体装置１１２−１は、移動体装置１１２−１がＢｌｕｅｔｏｏｔｈＴＭ装置と通信できるかどうかに関わらず、マルチモーダルリスト内のＢｌｕｅｔｏｏｔｈＴＭトランシーバについての情報を受信する場合がある。しかしながら、他の実施形態は、マルチモーダルリストを移動体装置１１２−１の通信モードに従って調整する。この状況においては、ＢｌｕｅｔｏｏｔｈＴＭトランシーバは、移動体装置１１２−１がこれらの装置と通信する機能を欠いていた場合にはマルチモーダルリストには含まれないことになろう。しかしながら、一般的には、マルチモーダルリストは、少なくとも２つの異なる通信モードで通信するためのトランシーバ装置１０８，１１０，１１２，１１６，１２０についての情報を含む。
【００２９】
一実施形態において、マルチモーダルリストは、移動体装置１１２−１がその位置が変わる際にトランシーバ装置１０８，１１０，１１２，１１６，１２０の通信モードをスキャンする必要性を解消してもよい。これにより、時間と電池電力トランシーバ装置を節約してもよく、サービスの中断を避ける助けとなりうる。例えば、マルチモーダルリストを参照することによって、移動体装置１１２−１は、大都市地域を通って移動するにつれて、個々のＷｉＦｉＴＭアクセスポイント間を急速に飛び越えることが可能であってもよい。同様に、移動体装置１１２−１は、ＢｌｕｅｔｏｏｔｈＴＭ装置、セルラー基地局、およびＷｉＦｉＴＭアクセスポイントとの通信を、これらの各通信モードのトランシーバ装置を別個にスキャンすることなく、急速に移行することが可能であってもよい。いくつかの実施形態において、基地局１０８−１は、トランシーバ装置の通信モード、トランシーバ装置の相対的な位置、好ましい通信モード、サービス契約におけるローミング提携先、および／またはユーザ固有の基準に従って、トランシーバ装置のマルチモーダルリストの優先順位をつける。
【００３０】
図２は、移動体装置２１２の動作環境に配置されたトランシーバを示すマルチモーダル通信システムである。異なる通信モードで音声およびデータ通信を交換するための複数のトランシーバ装置２０８，２１０，２１６，２２０，２２８が、移動体装置２１２から様々な距離で示されている。当初は、移動体装置２１２は、周囲のトランシーバ装置２０８，２１０，２１６，２２０，２２８に気づかないか、これらのトランシーバ装置２０８，２１０，２１６，２２０，２２８と通信するのに必要な情報を欠いていてもよい。本実施形態は、以下により完全に説明するように、移動体装置２１２と衛星２２８との間を１つの通信モードで通信することができる。
【００３１】
図示のように、移動体装置２１２は、本実施形態において、３つの異なる通信モードで通信することが可能である。これらの異なる通信モードの通信範囲は、通信モードの理論上の範囲を一般的に示す、移動体装置２１２の位置から伸びる同心円２２４−１，２２４−２，２２４−３によって表されている。第１の同心円２２４−１は、移動体装置２１２の短距離通信モードに対応し、例えば、ＢｌｕｅｔｏｏｔｈＴＭからの通信を含んでもよい。よって、同心円２２４−１の半径は、ＢｌｕｅｔｏｏｔｈＴＭおよび他の個人エリア装置が通常通信する範囲を示す約１０メートルであってもよい。同心円２２４−１内に位置するＢｌｕｅｔｏｏｔｈＴＭ装置２１６は、場合によっては移動体装置２１２の通信範囲内に入ることがあり、同心円２２４−１の外側に位置するＢｌｕｅｔｏｏｔｈＴＭ装置２１６は、移動体装置２１２の通信範囲を越える場合がある。図示のように、ＢｌｕｅｔｏｏｔｈＴＭ装置２１６−１は、移動体装置２１２の予想通信範囲内にあり、ＢｌｕｅｔｏｏｔｈＴＭ装置２１６−２および２１６−３は、当該通信範囲の外側にある。
【００３２】
第２の同心円２２４−２は、移動体装置２１２の中間範囲通信モードに対応し、例えば、ＷｉＦｉＴＭ通信を含んでもよい。よって、第２の同心円２２４−２の直径は、これらおよび他の域内通信装置が通常通信する範囲を示す約１００メートルであってもよい。第２の同心円２２４−２内にあるＷｉＦｉＴＭアクセスポイント２２０は、移動体装置２１２の通信範囲内であることがあり、第１の同心円２２４−１内にあるＷｉＦｉＴＭアクセスポイント２２０は、移動体装置２１２の通信範囲を越えることがある。図示のように、２つのＷｉＦｉＴＭアクセスポイント２２０−１，２２０−２は、移動体装置２１２の予想通信範囲内にあり、別のＷｉＦｉＴＭアクセスポイント２２０−３は、この通信範囲の外側にある。
【００３３】
第３の同心円２２４−３は、移動体装置２１２の長距離通信モードに対応する。第３の同心円２２４−３は、基地局２０８を含む。本実施形態において、基地局２０８は、完全に機能するセルラー基地局、または移動体装置２１２の通信モードで音声および／またはデータ通信を交換することができる他の広域トランシーバである。
【００３４】
いくつかの実施形態において、長距離通信モードも、例えば衛星２２８通信などの移動体装置２１２によってサポートされてもよい。この場合に、衛星２２４が移動体装置２１２の通信範囲内かどうかを判定するために、信号強度などの他の測定手法が使用される。さらに大きな同心円が衛星２２８用に構成されることになろう。
【００３５】
移動体装置２１２は、基地局２０８の通信範囲内にあることを検出すると、識別情報を基地局２０８（または何らかの他のトランシーバ）へ送信する。識別情報を受信すると、基地局２０８は、移動体装置２１２の位置を取り出して、マルチモーダルリストに含めるためにトランシーバ装置を識別する。いくつかの実施形態においては、基地局２０８は数多くのトランシーバに関するトランシーバ装置情報にアクセスすることができるが、マルチモーダルリストに含めるために移動体装置２１２の予想通信範囲内にあるトランシーバのみを選択してもよい。図示のように、これらのトランシーバは、ＢｌｕｅｔｏｏｔｈＴＭ装置２１６−１、ＷｉＦｉＴＭアクセスポイント２２０−１，２２０−２、および基地局２０８を含んでもよい。一般的には、マルチモーダルリストは、少なくとも２つの異なる通信モードで通信するためのトランシーバ装置を含む。
【００３６】
先の実施形態において、基地局２０８は、マルチモーダルリストを作成して、それを移動体装置２１２へ送信した。しかしながら、これらの動作は、様々なトランシーバ装置のうちのいずれか、またはトランシーバ装置の任意の組み合わせによって行われてもよいことが理解される。よって、例えば、トランシーバ装置のマルチモーダルリストは、無線広域通信網に接続されたコンピュータによって生成されて当該広域通信網の通信範囲内に位置する移動体装置へ送信されてもよいだろう。同様に、ＷｉＦｉＴＭアクセスポイントは、トランシーバ装置のマルチモーダルリストをその通信範囲内に位置する移動体装置へ提供するように構成されてもよい。部分的に重なり合う通信範囲に位置する移動体装置は、各通信モードのマルチモーダルリストを受信することがあってもよい。
【００３７】
すべての移動体装置２１２がトランシーバ装置２０８，２１０，２１６，２２０，２２８のすべての通信モードをサポートするとは限らない。本実施形態において、ＷｉＦｉＴＭ基地局２１０は、移動体装置２１２によってサポートされていない。ＷｉＦｉＴＭ基地局２１０は、移動体装置２１２のマルチモーダルリストから除外される場合もあるだろう。代わりに、マルチモーダルリストは、ＷｉＦｉＴＭ基地局２１０を含んでもよく、移動体装置２１２によって無視されるだけであってもよい。
【００３８】
図３Ａは、基地局コントローラ３１６と通信する基地局３０８の配置を含むマルチモーダル通信システムを示す。移動体装置２１２は、各位置に従って基地局３０８と通信する。そして、基地局３０８は、トランシーバ装置のマルチモーダルリストを生成する役割を果たす基地局コントローラ３１６と通信する。基地局コントローラ３１６は、プロセッサ３１６と、位置決めデータ３２８と、トランシーバ装置データ３２４とを含む。
【００３９】
本実施形態において、各基地局３０８は、移動体装置２１２からの識別データを基地局コントローラ３１６へ提供する。基地局コントローラ３１６内に位置するプロセッサ３２０は、は、１つ以上のデータベースに含まれるかそうでなければ記憶媒体に記録された情報を使用して、トランシーバ装置のマルチモーダルリストを生成するように構成される。よって、例えば、プロセッサ３２０は、位置決めデータのデータベース３２８をクエリして、移動体装置の位置を示してもよい。このクエリは、移動体装置がすべてのトランシーバ装置で通信できるかどうかに関わらず、移動体装置位置の予想通信範囲内にあるすべてのトランシーバ装置のトランシーバ装置識別子を返してもよい。
【００４０】
その後、プロセッサ３２０は、移動体装置２１２が使用することが可能な通信モードのリストを取り出すために、トランシーバ識別子を有するトランシーバ装置情報３２４のデータベースをクエリしてもよい。基地局コントローラ３１６は、マルチモーダルリストを決定するために、移動体装置の通信モードに従って、位置決めデータのデータベース３２８から返されたトランシーバ装置を選り抜いてもよい。調整されたマルチモーダルリストは基地局３０８へ返されて、移動体装置２１２へ送信される。移動体装置２１２へ送信されたトランシーバ装置のマルチモーダルリストは、一般的には、少なくとも２つの異なる通信モードで通信するためのトランシーバ装置を含む。代替の一実施形態において、移動体切り換えセンターまたは何らかの他のコアネットワークエンティティがトランシーバ装置のマルチモーダルリストを生成する役割を担ってもよい。
【００４１】
図３Ｂは、マルチモーダル通信システムのさらなる一実施形態であって、そこにおいて基地局３０８が基地局コントローラ３１６と通信するシステムを示す。本実施形態において、基地局コントローラ３１６は、データ源３４０とネットワーク接続されている。ネットワークインターフェース３３２は、コマンドおよびデータをプロセッサ３２０から受信して、それらをネットワーク３３６を介して送信する。これらのコマンドは、トランシーバのマルチモーダルリストに対する要求を表してもよい。データは、要求元の基地局３０８およびマルチモーダルリストが作成されるべき移動体装置２１２を識別する情報を含んでもよい。
【００４２】
データ源３４０は、そのネットワークインターフェース３４４においてコマンドおよびデータを複数の基地局コントローラ３１６から受信するように適合されてもよい。この特徴により、階層に網羅する手法（hierarchical coverage scheme）を実施することができてもよい。例えば、各基地局３０８は、特定のセルラー領域内の移動体装置２１２から識別情報を受信する役割を担ってもよい。１つ以上のセルラー領域にサービス提供する(serving)基地局３０８は、指定された基地局コントローラ３１６と通信してもよい。基地局コントローラ３１６の群が特定の地理的領域にサービス提供して(serve)もよく、データ源３４０は、当該地理的領域に位置するすべての既知のトランシーバのトランシーバ装置情報を含んでもよい。
【００４３】
データ源３４０は、ネットワークインターフェース３４４と、プロセッサ３４８と、トランシーバ装置データベース３５２とを含む。トランシーバ装置データベース３５２は、プロセッサ３４８にアクセス可能な１つ以上のデータベースを含んでもよい。これらのデータベースは、様々な記憶媒体に記録されてもよい。一般的には、トランシーバ装置データベース３５２は、識別子と地理的位置トランシーバ装置とを含むことになる。しかしながら、データ源３４０は、トランシーバ装置エンティティ毎に通信モード（単数または複数）ならびに利用可能性および利用統計値を含む追加情報を含んでもよい。ネットワーク３３６は、回路スイッチネットワーク、パケットスイッチネットワークおよび／またはＩＰネットワークであってもよい。
【００４４】
図４Ａは、マルチモーダル通信システムで動作するように構成された基地局２０８のブロック図である。基地局２０８は、アンテナ４０４と、移動体装置２１２と通信を交換するためのトランシーバ４０８とを含む。図示のように、トランシーバ４０８は、単一の通信モードで動作する。本実施形態は、例えば、トランシーバ装置のマルチモーダルリストを生成するように構成されていたセルラー基地局を表してもよい。基地局２０８は、識別情報を移動体装置２１２から受信する。この識別情報は、基地局２０８の通信範囲内で基地局２０８の通信モードを使用して送信される。
【００４５】
プロセッサ４１２は、識別情報をトランシーバ４０８から受信して、位置決めユニット４１６を起動する。位置決めユニット４１６は、移動体装置２１２のおおよその地理的位置を判定して、位置決めデータをプロセッサ４１２へ返す。位置決めユニット４１６は、全地球衛星航法システムの使用および／または地球範囲探索信号（terrestrial range finding signals）に基づいて、移動体装置の位置を判定してもよい。いくつかの実施形態において、位置決めデータは、移動体装置２１２から受信された識別情報と共に含まれている。よって、例えば、移動体装置２１２は、基地局２０８がその位置を突き止めるための支援を、動作環境における他のトランシーバ装置についての情報を基地局２０８に提供することによって行ってもよい。
【００４６】
プロセッサ４１２は、移動体装置２１２の予想通信範囲内のトランシーバユニットを識別を、トランシーバ情報データベース４２８をクエリすることによって行う。トランシーバ装置情報データベース４２８は、様々な通信モードで通信する複数のトランシーバのトランシーバ装置情報を記憶する。例えば、とりわけ、トランシーバ情報データベース４２８は、セルラー基地局、無線アクセスネットワーク、無線広域通信網、ＷｉＦｉＴＭアクセスポイント、ＢｌｕｅｔｏｏｔｈＴＭ装置、および個人エリアネットワークのトランシーバ情報を含んでもよい。トランシーバ情報データベース４２８の各エントリは、トランシーバ装置識別子、トランシーバ装置の位置、およびトランシーバ装置の通信モード（単数または複数）を含んでもよい。
【００４７】
いくつかの実施形態においては、トランシーバ情報データベース４２８は、各トランシーバ装置の予想通信領域に対応する位置決めデータを記憶する。通信領域は、トランシーバ装置の物理的位置に中心が置かれてもよく、トランシーバ装置の通信モードに従ってサイズ調整されてもよい。いくつかの実施形態において、通信領域は、トランシーバ装置の予想通信範囲内のすべてのポイントを囲む領域を着ている位置決め座標のセットとして表現される。よって、例えば、トランシーバ情報データベース４２８は、アクセスポイントが位置する１００メートル以内のすべてのポイントを備える円によって表される通信領域を規定する位置決め座標のセットを含むＷｉＦｉＴＭアクセスポイントのエントリを含んでもよい。位置決めユニット４１６からの位置決めデータを使用して、プロセッサ４１２は、移動体装置がこの通信領域内に位置するかどうかを判定してもよい。移動体装置が通信領域内にある場合には、トランシーバについての情報は、トランシーバ装置のマルチモーダルリストに含まれるようにしてもよい。そうでない場合には、プロセッサ４１２は、トランシーバ装置が移動体装置の予想通信範囲内にないと判定してもよい。この場合に、トランシーバ装置についての情報は、マルチモーダルリストに含まれないことになろう。他の実施形態において、位置決めユニット４１６および／またはトランシーバ情報データベース４２８は、例えばネットワークを使用して基地局２０８に遠隔に接続されてもよい。
【００４８】
移動体装置の予想通信範囲内のトランシーバが識別された後、プロセッサ４１２は、トランシーバ装置情報を含むマルチモーダルリストを生成する。マルチモーダルリストは、少なくとも２つの異なる通信モードで通信するためのトランシーバ装置についての情報を含み、トランシーバ装置毎のトランシーバ識別子と通信モードとを含んでもよい。いくつかの実施形態において、プロセッサ４１２は、移動体装置の通信モードに従って、移動体装置の通信範囲内にあると判定されたトランシーバ装置をフィルタリングする。例えば、移動体装置は、基地局２０８へ提供される識別情報と共に通信モードのリストを提供してもよい。プロセッサ４１２は、移動体の通信モードで通信しないトランシーバ装置をマルチモーダルリストから除外してもよい。その後、この調整されたマルチモーダルリストは、基地局２０８から移動体装置へ送信される。
【００４９】
図４Ｂは、マルチモーダル通信システムで動作するように構成された基地局のさらなる実施形態である。基地局３０８は、異なる通信モードに対応する２つのトランシーバ４０８−１，４０８−２を含み、移動体装置の通信モードを判定するための装置機能データベース４２４をも含む。本実施形態において、基地局３０８は、移動体装置の簡略的記述を含む識別情報を受信する。識別情報は、移動体装置の位置決めデータをさらに含んでもよい。プロセッサ４１６は、装置機能データベース４２４を簡略的記述を用いてクエリして、移動体装置の通信モードを判定する。位置決め情報および移動体装置の通信モードのリストは、ネットワークインターフェース４２０を介してネットワーク上を送信される。いくつかの実施形態において、ネットワークインターフェース４２０は、基地局３０８を、移動体装置の予想通信範囲内のトランシーバ装置を識別する役割を担う基地局コントローラに接続する。プロセッサ４１６は、トランシーバ装置情報をネットワークインターフェース４２０から受信し、少なくとも２つの異なる通信モードで通信するためのトランシーバを含むマルチモーダルリストを生成し、当該マルチモーダルリストを移動体装置へ送信する。
【００５０】
図５Ａは、マルチモーダル通信システムで動作するように構成された移動体装置のブロック図である。移動体装置２１２は、アンテナ５０４と、２つの異なる通信モードで通信するための別個のトランシーバ５０８−１，５０８−２とを含む。プロセッサ５１６は、トランシーバ５０８−１，５０８−２を通じての音声および／またはデータ通信の交換を調整して、通信モードのいずれかまたは両方でのトランシーバ装置のマルチモーダルリストを受信するように構成される。マルチモーダルリストを受信することは、移動体装置の起動により移動体装置が位置を変えるのに従った様々な間隔でプロセッサ５１６によって行われる一連のステップを伴ってもよい。起動すると、例えば、プロセッサ５１６は、各通信モードの基地局を受信してもよい。移動体装置２１２が基地局を受信する順序は、装置の設定またはユーザの好みによって制御されてもよい。例えば、ユーザは、好ましい通信を指定してもよいし、または、任意のサポートされた通信モードで最も近いトランシーバ装置と通信することを優先する旨を表明してもよい。基地局が検出されると、プロセッサ４２０は、移動体装置２１２についての識別情報が、基地局が検出された通信モードに関連するトランシーバ５０８によって送信されるようにする。いくつかの実施形態において、識別情報は、メモリ５２０に記憶されてもよく、移動体装置２１２によってサポートされた通信モードのリストを含んでもよい。他の例において、各トランシーバは、トランシーバによってサポートされた通信モード用に最適化された自身のアンテナを搭載してもよい。
【００５１】
移動体装置２１２は、その位置を位置決めユニット５２４で追跡して、検出された基地局へ送信する識別情報の一部として位置決めデータを含んでもよい。いくつかの実施形態において、位置決めユニット５２４は、全地球航法衛星から位置決めデータを受信して、その位置変化として位置決めデータを定期的に更新してもよい。他の実施形態において、位置決めユニット５２４は、その動作環境における他のトランシーバに対する移動体装置２１２の位置を判定するための測距信号を含む。さらに他の実施形態において、位置決めユニット５２４は、トランシーバの識別（または複数のトランシーバの識別）を判定し、これによって、この識別情報は、移動体装置２１２の概算位置を判定するために使用される。
【００５２】
また、プロセッサ５１６は、トランシーバ装置のマルチモーダルリストを処理するように構成される。トランシーバ装置のマルチモーダルリストは、少なくとも２つの異なる通信モードで通信するためのトランシーバ装置についての情報を含む。トランシーバ装置情報は、一般的には、トランシーバ識別子と、トランシーバ装置毎の通信モードとを含む。いくつかの実施形態において、マルチモーダルリストは、移動体装置の通信モードで通信しないトランシーバ装置についての情報を含んでもよい。この場合、プロセッサ５１６は、移動体装置の通信モードに従って、トランシーバ装置のマルチモーダルリストをフィルタリングする。プロセッサ５１６は、処理されたマルチモーダルリストをメモリ５２０に記憶させる。
【００５３】
図５Ｂは、マルチモーダル通信システムで動作するように構成された移動体装置のさらなる一実施形態である。移動体装置２１２は、３つの異なる通信モードで動作するための別個のトランシーバ５０８−１，５０８−２，５０８−３を含む。本実施形態において、移動体装置２１２は、位置決めユニットを含まないので、その位置を判定するためには、他のトランシーバに依存しなければならない。
【００５４】
図６Ａは、トランシーバ装置のマルチモーダルリストを遠隔端末または移動体装置へ提供する処理を示すフロー図である。最初のブロック６０４において、遠隔端末識別子が受信される。遠隔端末識別子は、遠隔端末の通信モードで受信され、遠隔端末の複数の通信モードを表してもよい。遠隔端末識別子を使用して、遠隔端末の位置が判定されて、ブロック６０８において取り出される。遠隔端末の位置を特定する様々な方法が可能であり、これらの方法は、衛星および／または地球位置決め信号の使用を含む。
【００５５】
次のブロック６１２において、遠隔端末の通信範囲内のトランシーバ装置が識別される。トランシーバ装置のデータベースがアクセスされて、遠隔端末の予想通信範囲内のトランシーバ装置を判定してもよい。各トランシーバ装置の通信範囲は、トランシーバ装置の通信モードに従って判定され、トランシーバ装置の物理的位置から放射状に伸びてもよい。遠隔端末がこの通信範囲内に位置していれば、トランシーバ装置は、マルチモーダルリストに含まれるように識別されてもよい。そうでない場合には、トランシーバ装置は、マルチモーダルリストに含まれるように識別されなくてもよい。
【００５６】
次のブロック６１６において、トランシーバ装置のマルチモーダルリストが生成される。マルチモーダルリストは、少なくとも２つの異なる通信モードで通信するためのトランシーバ装置を含み、先のブロックで識別されたトランシーバ装置のすべてまたはサブセットを含んでもよい。その後、通信装置のマルチモーダルリストは、ブロック６２０において、遠隔端末の通信モードを使用して、移動体装置へ送信される。
【００５７】
図６Ｂは、トランシーバ装置のマルチモーダルリストを遠隔端末へ提供する他の処理を示すフロー図である。この処理は、遠隔端末の機能を取り出すブロック６１０を含む。本ブロックにおいて、遠隔端末の通信モードが判定される。サポートされた通信モードの通信範囲内のトランシーバ装置のみがマルチモーダルトランシーバ装置に含まれるように選択されるように、トランシーバ装置６１２を識別するブロックを改良するために、遠隔端末の通信モードが使用される。このように、トランシーバ装置のマルチモーダルリストは、遠隔端末の機能に合うように調整されることができる。
【００５８】
いくつかの実施形態において、マルチモーダルリストが生成される場合には、通信範囲が使用される。通信範囲は、通信目的の信号受信可能範囲に対応する。位置決め目的のトランシーバの信号受信可能範囲（すなわち、位置決め範囲）は、通信目的の信号受信可能範囲（すなわち、通信範囲）とは実質的に異なり得ることに注意されたい。いくつかの実施形態は、マルチモーダルリストを決定する際に位置決め範囲を使用してもよい。本説明の一部で「通信範囲」という語を使用しているが、通信範囲という用語は、様々な実施形態においては位置決め範囲として二者択一的に定義され得る。
【００５９】
図７は、トランシーバ装置が遠隔端末と通信するために識別される処理のフロー図である。最初のブロック７０４において、識別子が第１の通信モードで送信される。識別子は、トランシーバ装置のマルチモーダルリストに対する要求を表してもよく、遠隔端末についての情報を含んでもよい。例えば、遠隔端末についての情報は、遠隔端末のアドレスと、遠隔端末の装置機能とを含んでもよい。識別子の送信に続いて、処理は肯定応答を待つ。これは、遠隔端末に対してアドレス指定された肯定応答メッセージを特定の動作周波数で受信することを含んでもよい。送信がブロック７０８で受領確認されると、トランシーバ装置のマルチモーダルリストは、ブロック７１２において、第１の通信モードで受信される。その後、マルチモーダルリストは、ブロック７２８においてメモリに記憶され、取得処理は、ブロック７３２において終了する。
【００６０】
第１の送信が受領確認されると、識別子は、ブロック７１６において第２の通信モードで再送信される。これは、例えば、第１の通信モードでの肯定応答なしで予め設定された時間が経過すると生じてもよい。識別子が第２の通信モードで通信された後、処理は、ブロック７２０において、第２の通信モードでの肯定応答を待つ。肯定応答が受信されると、トランシーバ装置のマルチモーダルリストは、ブロック７２４において、第２の通信モードで受信される。マルチモーダルリストは、ブロック７２８においてメモリに記憶され、取得処理は、ブロック７３２において終了する。しかしながら、第２の通信モードでの送信が受領確認されない場合には、取得処理は、ブロック７３２において不成功で終了する。この処理は、通信モードのうちの１つで肯定応答が受信されるか、または所定の全取得処理が超過されるまで、予め設定された再試行回数分継続する。
【００６１】
図８は、トランシーバ装置のマルチモーダルリストを遠隔端末へ提供するためのシステムのブロック図である。本システムは、遠隔端末８０４の位置を取り出すための手段（例えば、データリンク、無線リンク、データベースインターフェース、ネットワーク）と、第１の通信モードで通信するための第１のトランシーバ装置および第２の通信モードで通信するための第２のトランシーバ装置を識別するための手段（例えば、プロセッサまたはステート・マシン）８０８とを含む。第１および第２のトランシーバ装置は、遠隔端末の通信範囲内にある。また、本システムは、第１および第２のトランシーバ装置を備えるトランシーバ装置のマルチモーダルリストを生成するための手段（例えば、プロセッサまたはステート・マシン）８１２を含む。トランシーバ装置のマルチモーダルリストは、少なくとも、トランシーバ装置識別子と、第１および第２のトランシーバ装置毎の通信モードとを含む。トランシーバ装置のマルチモーダルリストを遠隔端末へ送信するための手段（例えば、有線または無線通信リンク）８１６も提供される。
【００６２】
図９は、遠隔端末と通信するためのトランシーバ装置を識別するためのシステムのブロック図である。本システムは、例えばある構成における無線送信器などの遠隔端末から離れて情報を通信するための手段９０４を含む。端末から離れて通信される情報は、遠隔端末の複数の通信モードを表す。トランシーバ装置のマルチモーダルリストを受信するための手段（例えば、受信器など）９０８が含まれる。トランシーバ装置のマルチモーダルリストは、第１の通信モードで通信するための第１のトランシーバ装置についての情報と、第２の通信モードで通信するための第２のトランシーバ装置についての情報とを含む。トランシーバ装置のマルチモーダルリストは、遠隔端末の位置用か、または遠隔端末の位置に関連した地理領域用に調整される。また、本システムは、トランシーバ装置のマルチモーダルリストを遠隔端末に対してアクセス可能なメモリに記憶させるための手段（例えば、記憶媒体）９１２を含む。
【００６３】
本開示の原理が、具体的な装置および方法に関連して上記に説明されてきたが、本説明は、例のためのみであって、本開示の範囲に対する限定として行われてはいない、ということが明確に理解されるべきである。
【図１】
2014195292.tif 000003
【図２】
2014195292.tif 000004
【図３Ａ】
2014195292.tif 000005
【図３Ｂ】
2014195292.tif 000006
【図４Ａ】
2014195292.tif 000007
【図４Ｂ】
2014195292.tif 000008
【図５Ａ】
2014195292.tif 000009
【図５Ｂ】
2014195292.tif 000010
【図６Ａ】
2014195292.tif 000011
【図６Ｂ】
2014195292.tif 000012
【図７】
2014195292.tif 000013
【図８】
2014195292.tif 000014
【図９】
2014195292.tif 000015
【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
トランシーバ装置のマルチモーダルリストを遠隔端末へ提供する方法であって、
遠隔端末の位置を取り出すことと、
なお、前記遠隔端末は、複数のトランシーバ装置と通信が可能であり、
前記遠隔端末は、少なくとも２つの通信モードで通信する；
第１の通信モードで通信するための第１のトランシーバ装置と、第２の通信モードで通信するための第２のトランシーバ装置と、を識別することと、
なお、前記第１および第２のトランシーバ装置は、前記遠隔端末の通信範囲内に位置し、
前記第１および第２の通信モードは異なっている；
前記第１および第２のトランシーバ装置を備える前記トランシーバ装置のマルチモーダルリストを生成することと、なお、前記トランシーバ装置のマルチモーダルリストは、前記第１および第２のトランシーバ装置の各々についてのトランシーバ識別子と通信モードとを含む；
前記トランシーバ装置のマルチモーダルリストを前記遠隔端末へ送信することと；
を備える方法。
【外国語明細書】
2014195292000001.pdf